【手続補正書】
【提出日】平成18年11月17日(2006.11.17)
【手続補正１】
【補正対象書類名】特許請求の範囲
【補正対象項目名】全文
【補正方法】変更
【補正の内容】
【特許請求の範囲】
【請求項１】
少なくとも１つの無線送受信ユニット（ＷＴＲＵ）と通信状態にある少なくとも１つのネットワークを含むマルチセルの無線通信システムにおいて、前記ネットワークから前記ＷＴＲＵへマルチメディア放送サービス（ＭＢＭＳ）の配信を制御する方法であって、
（ａ）前記ネットワークが、前記ＭＢＭＳを複数の別個のデータセグメントに分割しおよび前記ＭＢＭＳのデータセグメントの各々を前記ＷＴＲＵに対して送信することと、
（ｂ）前記ＷＴＲＵが、前記ＷＴＲＵによって適切に受信されたＭＢＭＳの各データセグメントをメモリに格納することと、
（ｃ）前記ＷＴＲＵが、前記ＷＴＲＵによって適切に受信されなかった少なくとも１つのＭＢＭＳのデータセグメントを前記ネットワークに対して識別することと、
（ｄ）前記ネットワークが、前記識別されたＭＢＭＳのデータセグメントのみを前記ＷＴＲＵに再送信することと、
を備えたことを特徴とする方法。
【請求項２】
（ｅ）前記ネットワークが、ステップ（ａ）の前に、前記ＭＢＭＳのデータセグメントの各々を前記ＷＴＲＵにいつ送信すべきか、および前記ＭＢＭＳをいくつのデータセグメントで構成するのかを前記ＷＴＲＵに示すことをさらに備えたことを特徴とする請求項１に記載の方法。
【請求項３】
（ｅ）前記ネットワークの事業者が、課金を容易にするために前記ＷＴＲＵによって前記ＭＢＭＳのデータセグメントのすべてを受信されたか否かを決定することをさらに備えたことを特徴とする請求項１に記載の方法。
【請求項４】
少なくとも１つの無線送受信ユニット（ＷＴＲＵ）と通信状態にある少なくとも１つのネットワークを含むマルチセルの無線通信システムにおいて、前記ネットワークから前記ＷＴＲＵへマルチメディア放送サービス（ＭＢＭＳ）の配信を制御する方法であって、
（ａ）前記ネットワークが、前記ＷＴＲＵに異なる時間で送信するようにスケジューリングされた複数の別個のＭＢＭＳのデータセグメントに前記ＭＢＭＳを分割することと、
（ｂ）前記ネットワークが、前記スケジューリングされた異なる時間および前記ＭＢＭＳを構成するデータセグメントの数を前記ＷＴＲＵに示すことと、
（ｃ）前記ネットワークが、前記スケジューリングされた異なる時間で前記ＷＴＲＵに前記ＭＢＭＳのデータセグメントを伝送することと、
（ｄ）前記ＷＴＲＵが、前記スケジューリングされた異なる時間で受信機をアクティベートすることによって、前記ネットワークが送信した前記ＭＢＭＳのデータセグメントを受信することと、
（ｅ）前記ＷＴＲＵが、前記ＷＴＲＵによって適切に受信されなかった少なくとも１つのＭＢＭＳのデータセグメントを前記ネットワークに対して識別することと、
（ｆ）前記ネットワークが、前記識別されたＭＢＭＳのデータセグメントを前記ＷＴＲＵに再送信するために割り当てられた時間を前記ＷＴＲＵに示すことと、
（ｇ）前記ネットワークが、前記識別されたＭＢＭＳのデータセグメントのみを前記ＷＴＲＵに再送信することと、
（ｈ）前記ＷＴＲＵが、前記割り当てられた時間で前記受信機をアクティベートすることによって、前記識別されたＭＢＭＳのデータセグメントを受信することと
を備えたことを特徴とする方法。
【請求項５】
前記ＭＢＭＳのデータセグメントの各々が、前記ＷＴＲＵによって前記ＭＢＭＳのデータセグメントの配信の成功を実証するために使用される少なくとも１つの巡回冗長検査（ＣＲＣ）を含むことを特徴とする請求項１または４に記載の方法。
【請求項６】
（ｉ）前記ネットワークの事業者が、課金を容易にするために前記ＷＴＲＵによって前記ＭＢＭＳのデータセグメントのすべてを受信されたか否かを決定することをさらに備えたことを特徴とする請求項４に記載の方法。
【請求項７】
複数の無線送受信ユニット（ＷＴＲＵ）と通信状態にある少なくとも１つのネットワークを含むマルチセルの無線通信システムにおいて、前記ネットワークから前記ＷＴＲＵへマルチメディア放送サービス（ＭＢＭＳ）の配信を制御する方法であって、
（ａ）前記ＷＴＲＵが、前記通信システムのセルの特定の１つで動作し、および前記ＭＢＭＳをアクティベートすることと、
（ｂ）前記ネットワークが、前記ＭＢＭＳをアクティベートされた前記特定のセルで動作するＷＴＲＵの数を決定することと、
（ｃ）前記ネットワークが、前記決定されたＷＴＲＵの数に基づき、前記特定のセルにリソースを割り当てることと、
（ｄ）前記ネットワークが、前記割り当てられたリソースを使用して、前記ＷＴＲＵに前記ＭＢＭＳを配信することと、
（ｅ）前記ネットワークが、前記ＷＴＲＵのすべてが前記ＭＢＭＳを非アクティベートする場合に、前記ＷＴＲＵで前記ＭＢＭＳを終了させ、および前記ネットワークのリソースの再割り当てを行うことと
を備えたことを特徴とする方法。
【請求項８】
少なくとも１つの無線送受信ユニット（ＷＴＲＵ）と通信状態にある少なくとも１つのネットワークを含むマルチセルの無線通信システムにおいて、マルチメディア放送サービス（ＭＢＭＳ）の配信を制御する方法であって、
（ａ）前記ＷＴＲＵが、前記ＭＢＭＳをアクティベートすることと、
（ｂ）前記ＷＴＲＵが、動作中の前記通信システムのセルの最初の１つを示す前記ネットワークに周期的な更新を提供することと、
（ｃ）前記ネットワークが、前記ＷＴＲＵに前記ＭＢＭＳを配信することと、
（ｄ）前記ネットワークが、前記ＷＴＲＵによって前記周期的な更新を提供することを停止するかまたは前記最初のセルとは異なる前記通信システムのセルで動作する場合に、前記ＷＴＲＵでの前記ＭＢＭＳを終了させることと
を備えたことを特徴とする方法。
【請求項９】
少なくとも１つの無線送受信ユニット（ＷＴＲＵ）と通信状態にある少なくとも１つのネットワークを含むマルチセルの無線通信システムにおいて、マルチメディア放送サービス（ＭＢＭＳ）の配信を制御する方法であって、
（ａ）前記ネットワークが、複数のＭＢＭＳのデータ伝送を送信することによって前記ＷＴＲＵに前記ＭＢＭＳを配信することと、
（ｂ）前記ＷＴＲＵが、前記ＭＢＭＳのデータ伝送のすべてが受信されたことを前記ネットワークに示すことと、
（ｃ）前記ネットワークが、前記ＭＢＭＳのデータ伝送を終了させることと
を備えたことを特徴とする方法。
【請求項１０】
前記通信システムが、周波数分割複信（ＦＤＤ）の通信システムであることを特徴とする請求項１、４、７、８または９に記載の方法。
【請求項１１】
前記通信システムが、時分割複信（ＴＤＤ）の通信システムであることを特徴とする請求項１、４、７、８または９に記載の方法。
【請求項１２】
マルチメディア放送サービス（ＭＢＭＳ）の配信を制御するマルチセルの無線通信システムであって、
（ａ）少なくとも１つの無線送受信ユニット（ＷＴＲＵ）と、
（ｂ）前記ＷＴＲＵと通信状態にある少なくとも１つのネットワークと、
（ｉ）前記ネットワークが、前記ＭＢＭＳを複数の別個のデータセグメントに分割し、および前記ＭＢＭＳのデータセグメントの各々を前記ＷＴＲＵに送信する手段と、
（ｉｉ）前記ＷＴＲＵが、前記ＷＴＲＵによって適切に受信されたＭＢＭＳの各データセグメントをメモリに格納する手段と、
（ｉｉｉ）前記ＷＴＲＵが、前記ＷＴＲＵによって適切に受信されなかった少なくとも１つのＭＢＭＳのデータセグメントを前記ネットワークに対して識別する手段と、
（ｉｖ）前記ネットワークが、前記識別されたＭＢＭＳのデータセグメントのみを前記ＷＴＲＵに再送信する手段と
を備えたことを特徴とする通信システム。
【請求項１３】
前記ネットワークが前記ＭＢＭＳのセグメントの各々を送信する前に、前記ネットワークが、前記ＭＢＭＳのデータセグメントの各々を前記ＷＴＲＵにいつ送信すべきかを前記ＷＴＲＵに示しおよび前記ＭＢＭＳをいくつのデータセグメントで構成するのかを前記ＷＴＲＵに示す手段をさらに備えたことを特徴とする請求項１２に記載の通信システム。
【請求項１４】
マルチメディア放送サービス（ＭＢＭＳ）の配信を制御するマルチセルの無線通信システムであって、
（ａ）少なくとも１つの無線送受信ユニット（ＷＴＲＵ）と、
（ｂ）前記ＷＴＲＵと通信状態にある少なくとも１つのネットワークと、
（ｉ）前記ネットワークが、前記ＷＴＲＵに異なる時間で送信するようにスケジューリングされた複数の別個のＭＢＭＳのデータセグメントに前記ＭＢＭＳを分割する手段と、
（ｉｉ）前記ネットワークが、前記スケジューリングされた異なる時間および前記ＭＢＭＳを構成するデータセグメントの数を前記ＷＴＲＵに表示する手段と、
（ｉｉｉ）前記ネットワークが、前記スケジューリングされた異なる時間で前記ＷＴＲＵに前記ＭＢＭＳのデータセグメントを送信する手段と、
（ｉｖ）前記ＷＴＲＵが、前記スケジューリングされた異なる時間で受信機をアクティベートすることによって、前記ネットワークで送信された前記ＭＢＭＳのデータセグメントを受信する手段と、
（ｖ）前記ＷＴＲＵが、前記ＷＴＲＵによって適切に受信されなかった少なくとも１つのＭＢＭＳのデータセグメントを前記ネットワークに対して識別する手段と、
（ｖｉ）前記ネットワークが、前記識別されたＭＢＭＳのデータセグメントを前記ＷＴＲＵに送信するために割り当てられた時間を前記ＷＴＲＵに示す手段と、
（ｖｉｉ）前記ネットワークが、前記識別されたＭＢＭＳデータセグメントのみを前記ＷＴＲＵに再送信する手段と、
（ｖｉｉｉ）前記ＷＴＲＵが、前記割り当てられた時間に前記受信機をアクティベートすることによって、前記再送信されたＭＢＭＳのデータセグメントを受信する手段と
を備えたことを特徴とする通信システム。
【請求項１５】
前記ＭＢＭＳのデータセグメントの各々が、前記ＷＴＲＵによって前記ＭＢＭＳのデータセグメントの配信の成功を実証するために使用される少なくとも１つの巡回冗長検査（ＣＲＣ）を含むことを特徴とする請求項１２または１４に記載の通信システム。
【請求項１６】
前記ネットワークの事業者が、課金を容易にするために前記ＷＴＲＵによって前記ＭＢＭＳのデータセグメントのすべてを受信したか否かを決定する手段をさらに備えたことを特徴とする請求項１２または１４に記載の通信システム。
【請求項１７】
マルチメディア放送サービス（ＭＢＭＳ）の配信を制御するマルチセルの無線通信システムであって、
（ａ）複数の無線送受信ユニット（ＷＴＲＵ）と、
（ｂ）前記ＷＴＲＵと通信状態にある少なくとも１つのネットワークと、
（ｉ）前記ＷＴＲＵが、前記通信システムのセルの特定の１つで動作し、および前記ＭＢＭＳをアクティベートする手段と、
（ｉｉ）前記ネットワークが、前記ＭＢＭＳをアクティベートした前記特定のセルで動作するＷＴＲＵの数を決定すること、
（ｉｉｉ）前記ネットワークが、前記決定されたＷＴＲＵの数に基づき、前記特定のセルにリソースを割り当てる手段と、
（ｉｖ）前記ネットワークが、前記割り当てられたリソースを使用して、前記ＷＴＲＵに対して前記ＭＢＭＳを配信する手段と、
（ｖ）前記ネットワークが、前記ＷＴＲＵのすべてが前記ＭＢＭＳを非アクティベートする場合に、前記ＷＴＲＵでの前記ＭＢＭＳを終了させ、および前記ネットワークの前記リソースの再割り当てを行う手段と
を備えたことを特徴とする通信システム。
【請求項１８】
マルチメディア放送サービス（ＭＢＭＳ）の配信を制御するマルチセルの無線通信システムであって、
（ａ）少なくとも１つの無線送受信ユニット（ＷＴＲＵ）と、
（ｂ）前記ＷＴＲＵと通信状態にある少なくとも１つのネットワークと、
（ｉ）前記ＷＴＲＵが、前記ＭＢＭＳをアクティベートする手段と、
（ｉｉ）前記ＷＴＲＵが、動作中の前記通信システムのセルの最初の１つを示す前記ネットワークに周期的な更新を提供する手段と、
（ｉｉｉ）前記ネットワークが、前記ＷＴＲＵに前記ＭＢＭＳを配信する手段と、
（ｉｖ）前記ネットワークが、前記ＷＴＲＵによって前記周期的な更新を提供することを停止するかまたは前記最初のセルとは異なる前記通信システムのセルで動作する場合に、前記ＷＴＲＵでの前記ＭＢＭＳを終了させる手段と
を備えたことを特徴とする通信システム。
【請求項１９】
マルチメディア放送サービス（ＭＢＭＳ）の配信を制御するマルチセルの無線通信システムであって、
（ａ）少なくとも１つの無線送受信ユニット（ＷＴＲＵ）と、
（ｂ）前記ＷＴＲＵと通信状態にある少なくとも１つのネットワークと、
（ｉ）前記ネットワークが、複数のＭＢＭＳのデータ伝送を送信することによって前記ＷＴＲＵに前記ＭＢＭＳを配信する手段と、
（ｉｉ）前記ＷＴＲＵが、前記ＭＢＭＳのデータ伝送のすべてを受信したことを前記ネットワークに示す手段と、
（ｉｉｉ）前記ネットワークが、前記ＭＢＭＳのデータ伝送を終了させる手段と
を備えたことを特徴とする通信システム。
【請求項２０】
前記通信システムが、周波数分割複信（ＦＤＤ）の通信システムであることを特徴とする請求項１２、１４、１７、１８または１９に記載の通信システム。
【請求項２１】
前記通信システムが、時分割複信（ＴＤＤ）の通信システムであることを特徴とする請求項１２、１４、１７、１８または１９に記載の通信システム。